(57)【要約】【課題】乾燥工程での食器の損傷を防ぐと共に、食器の乾燥むらをなくす。【解決手段】洗浄タンク４に温風を送り込む送風路１５の送風出口２０を、食器かご１０より下方で、かつ、洗浄手段９より上方の洗浄タンク４の側面に配設したものである。【選択図】　図２
2004065424.tif 000002
【特許請求の範囲】
【請求項１】
筐体と、前記筐体内に設けた洗浄タンクと、食器類を収容する食器かごと、洗浄水を噴出させる洗浄手段と、食器類を乾燥させる温風を発生するファンヒータと、前記ファンヒータと前記洗浄タンクを連結し、前記洗浄タンクに温風を送り込む送風路を具備し、前記送風路の送風出口は、前記食器かごより下方で、かつ、前記洗浄手段より上方の前記洗浄タンクの側面に配設した食器洗浄乾燥機。
【請求項２】
筐体と、前記筐体内に設けた洗浄タンクと、食器類を収容する食器かごと、洗浄水を噴出させる洗浄手段と、食器類を乾燥させる温風を発生するファンヒータと、前記ファンヒータと前記洗浄タンクを連結し、前記洗浄タンクに温風を送り込む送風路を具備し、前記送風路の送風出口を前記洗浄タンクの側面に配設するとともに、前記送風出口から吐出される温風の吐出方向を前記洗浄タンクの底部へ向けた構成とした食器洗浄乾燥機。
【請求項３】
筐体と、前記筐体内に設けた洗浄タンクと、食器類を収容する食器かごと、洗浄水を噴出させる洗浄手段と、食器類を乾燥させる温風を発生するファンヒータと、前記ファンヒータと前記洗浄タンクを連結し、前記洗浄タンクに温風を送り込む送風路を具備し、前記送風路の送風出口を前記洗浄タンクの側面に複数配設した食器洗浄乾燥機。
【請求項４】
筐体と、前記筐体内に設けた洗浄タンクと、食器類を収容する食器かごと、洗浄水を噴出させる洗浄手段と、食器類を乾燥させる温風を発生するファンヒータと、前記ファンヒータと前記洗浄タンクを連結し、前記洗浄タンクに温風を送り込む送風路を具備し、前記送風路には風圧によって風の順方向にのみ開くシャッター部材を設けるとともに、前記シャッター部材の近傍に結露水を貯水する貯水部を設けた食器洗浄乾燥機。
【請求項５】
筐体と、前記筐体内に設けた洗浄タンクと、食器類を収容する食器かごと、洗浄水を噴出させる洗浄手段と、食器類を乾燥させる温風を発生するファンヒータと、前記ファンヒータと前記洗浄タンクを連結し、前記洗浄タンクに温風を送り込む送風路を具備し、食器類の洗浄中に前記ファンヒータのヒータ部に通電可能な構成とした食器洗浄乾燥機。
【請求項６】
筐体と、前記筐体内に設けた洗浄タンクと、食器類を収容する食器かごと、洗浄水を噴出させる洗浄手段と、食器類を乾燥させる温風を発生するファンヒータと、前記ファンヒータと前記洗浄タンクを連結し、前記洗浄タンクに温風を送り込む送風路を具備し、食器類の洗浄中に前記ファンヒータのファンに通電し送風可能な構成とした食器洗浄乾燥機。
【発明の詳細な説明】
【０００１】
【発明の属する技術分野】
本発明は、ファンヒータを内蔵し、食器を洗浄から乾燥まで行う食器洗浄乾燥機に関するものである。
【０００２】
【従来の技術】
図６および図７は、従来の食器洗浄乾燥機の概略を示す構成図で、図６は食器洗浄乾燥機を横から見た場合の断面図、図７は同じく正面から見た場合の断面図である。
【０００３】
図６において、１は筐体２内に水密に設けられた洗浄タンク４へ水道水を導水する給水経路で、給水弁３によって導水の開閉が行われる。導水された水は、洗浄タンク４内部の貯水部５に貯水され、貯水部５に連通した水位センサ６によって所定の水位まで貯まる。貯水された水は、貯水部５に設けられたヒータ７で加熱されると共に、循環ポンプ８で加圧され、複数個設けられた洗浄ノズル９から食器かご１０内の食器に向けて噴射され、食器が洗浄される。洗浄が終わると排水ポンプ１１によって洗浄タンク４内の水が排出される。
【０００４】
洗浄が終了すると乾燥工程に入る。１２はファンヒータで、温風ヒータ１３とファン１４からなる。ファンヒータ１２で発生した温風は送風路１５を通り、送風出口２０から食器かご１０の食器に向けて吐出され、乾燥が行われる。通常、送風路１５の送風出口２０は、食器かご１０のほぼ真後ろの洗浄タンク４後面に設けられる。
【０００５】
１６は食器かご１０を出し入れする前ドア、１７は前ドア１６に設けられた排気口で、ファンヒータ１２において発生した温風は最終的にはここから外部へ排出される。１８は食器に付着していた残菜をこし取るフィルタである。
【０００６】
【発明が解決しようとする課題】
しかしながら前記従来の構成では、送風出口近傍で食器に直接温風を吹き付けるため食器が高温になりやすく、樹脂製食器などの場合は変形を生じることがあった。また、送風出口近傍の食器に温風が遮られて庫内の食器全体に温風が行き渡りにくくなり、食器の設置場所によっては乾きにくいなど乾燥むらが生じていた。また、食器洗浄乾燥機用のファンヒータは結露することがあり、その結果、ファンヒータに腐食などが生じファンヒータの寿命を長く維持することが難しいなどの課題を有していた。
【０００７】
また、他の従来例として、洗浄タンク内にヒータを設け、送風路から送られてくる風でこのヒータの熱を洗浄タンク内に拡散するものがあるが、ヒータ上に食器が落下した場合や、輻射熱によって食器が損傷する課題がある。
【０００８】
本発明は上記の課題を解決するもので、乾燥工程での食器の損傷を防ぐと共に乾燥むらをなくすことを第１の目的としている。第２の目的は、ファンヒータの寿命を長く維持することである。
【０００９】
【課題を解決するための手段】
上記第１の目的を達成するために本発明は、送風路の送風出口を、食器かごより下方で、かつ、洗浄手段より上方の洗浄タンクの側面に配設したものである。
【００１０】
これにより、食器が高温に過熱されるのを防ぎ、食器の損傷を防止するとともに、温風が庫内全体にむらなく行き渡り、食器かごへの設置場所に関わらず食器を乾燥することができる。
【００１１】
また、第２の目的を達成するために本発明は、洗浄タンクに温風を送り込む送風路に、風圧によって風の順方向にのみ開くシャッター部材を設けるとともに、前記シャッター部材の近傍に結露水を貯水する貯水部を設けたものである。
【００１２】
これにより、ファンヒータの結露防止が行われ、ファンヒータの寿命を長く維持することができる。
【００１３】
【発明の実施の形態】
本発明の請求項１記載の発明は、筐体と、前記筐体内に設けた洗浄タンクと、食器類を収容する食器かごと、洗浄水を噴出させる洗浄手段と、食器類を乾燥させる温風を発生するファンヒータと、前記ファンヒータと前記洗浄タンクを連結し、前記洗浄タンクに温風を送り込む送風路を具備し、前記送風路の送風出口は、前記食器かごより下方で、かつ、前記洗浄手段より上方の前記洗浄タンクの側面に配設したものであり、送風出口近傍で食器に直接温風が吹き付けられることがなくなり、食器が高温にならず食器に損傷を与えない。また、温風が庫内全体にむらなく行き渡り、設置場所に関わらず食器を乾燥することができる。
【００１４】
請求項２記載の発明は、筐体と、前記筐体内に設けた洗浄タンクと、食器類を収容する食器かごと、洗浄水を噴出させる洗浄手段と、食器類を乾燥させる温風を発生するファンヒータと、前記ファンヒータと前記洗浄タンクを連結し、前記洗浄タンクに温風を送り込む送風路を具備し、前記送風路の送風出口を前記洗浄タンクの側面に配設するとともに、前記送風出口から吐出される温風の吐出方向を前記洗浄タンクの底部へ向けた構成としたものであり、食器かごと洗浄手段との間に空隙が少ない場合でも、食器に直接温風が吹き付けられることがなく食器が高温にならないので食器に損傷を与えず、温風が庫内全体にむらなく行き渡り、設置場所に関わらず食器を乾燥することができる。
【００１５】
請求項３記載の発明は、筐体と、前記筐体内に設けた洗浄タンクと、食器類を収容する食器かごと、洗浄水を噴出させる洗浄手段と、食器類を乾燥させる温風を発生するファンヒータと、前記ファンヒータと前記洗浄タンクを連結し、前記洗浄タンクに温風を送り込む送風路を具備し、前記送風路の送風出口を前記洗浄タンクの側面に複数配設したものであり、温風が庫内に広範囲に吐出され、設置場所に関わらず食器を乾燥することができる。
【００１６】
請求項４記載の発明は、筐体と、前記筐体内に設けた洗浄タンクと、食器類を収容する食器かごと、洗浄水を噴出させる洗浄手段と、食器類を乾燥させる温風を発生するファンヒータと、前記ファンヒータと前記洗浄タンクを連結し、前記洗浄タンクに温風を送り込む送風路を具備し、前記送風路には風圧によって風の順方向にのみ開くシャッター部材を設けるとともに、前記シャッター部材の近傍に結露水を貯水する貯水部を設けたものであり、ファンヒータの結露防止が確実に行われ、ファンヒータの寿命を長く維持することができる。
【００１７】
請求項５記載の発明は、筐体と、その筐体内に、食器類を収容する食器かごと洗浄水を噴出する洗浄ノズルを有する洗浄タンクと、洗浄水を加圧し前記洗浄ノズルから噴出させる洗浄手段と、食器類を乾燥させる温風を発生するファンヒータと、前記ファンヒータと前記洗浄タンクを連結し、前記洗浄タンクに温風を送り込むための送風路を具備し、食器類の洗浄中に前記ファンヒータのヒータ部に通電可能な構成とすることにより、簡単な構成でファンヒータの結露防止が行われファンヒータの寿命を長く維持することができる。
【００１８】
請求項６記載の発明は、筐体と、前記筐体内に設けた洗浄タンクと、食器類を収容する食器かごと、洗浄水を噴出させる洗浄手段と、食器類を乾燥させる温風を発生するファンヒータと、前記ファンヒータと前記洗浄タンクを連結し、前記洗浄タンクに温風を送り込む送風路を具備し、食器類の洗浄中に前記ファンヒータのファンに通電し送風可能な構成としたものであり、簡単な構成で、しかも、ヒータ部に通電するよりも省電力でファンヒータの結露防止が行え、ファンヒータの寿命を長く維持することができる。
【００１９】
【実施例】
以下、本発明の実施例について、図面を参照しながら説明する。
【００２０】
（実施例１）
図１および図２は、本発明の実施例１の食器洗浄乾燥機の概略を示す構成図で、図１は食器洗浄乾燥機を横から見た場合の断面図、図２は同じく正面から見た場合の断面図である。
【００２１】
図１および図２において、１は筐体２内に水密に設けられた洗浄タンク４へ水道水を導水する給水経路で、給水弁３によって導水の開閉が行われる。導水された水は、洗浄タンク４内部の貯水部５に貯水され、貯水部５に連通した水位センサ６によって所定の水位まで貯まる。貯水された水は、貯水部５に設けられたヒータ７で加熱されると共に、循環ポンプ８で加圧され、洗浄タンク４内に複数設けられた洗浄手段としての洗浄ノズル９から、その上方に配設された食器かご１０内の食器に向けて噴射され、食器が洗浄される。洗浄が終わると排水ポンプ１１によって洗浄タンク４内の水が排出される。
【００２２】
洗浄が済むと乾燥工程に入る。１２はファンヒータで、温風ヒータ１３とファン１４を備えている。ファンヒータ１２で発生した温風は送風路１５を通り、食器かご１０と洗浄ノズル９との間の高さで、洗浄タンク４の横側の側壁に位置させた送風路１５の送風出口２０から洗浄タンク４内に吐出される。吐出された温風は１９に示すような風の流れとなって食器かご１０に設置された食器を乾かすことになる。
【００２３】
従って、送風出口２０近傍で食器に直接温風を吹き付けることがないため、食器が高温になりにくく、樹脂製食器などでも変形を生じさせることはない。また、送風出口２０近傍の食器に温風が遮られることなく、食器かご１０の下方から洗浄タンク４内の食器全体に温風が行き渡るので、食器かご１０への食器の設置場所によらず十分乾燥させることができ、乾燥むらが生じない。
【００２４】
（実施例２）
図３は本発明の実施例２の食器洗浄乾燥機を正面から見た断面図である。基本的な構成および動作は実施例１と同様なので主に異なる部分について説明する。送風路１５の送風出口２０は洗浄タンク４の底部に向けられており、これによってファンヒータ１２で発生した温風は２１に示すような風の流れとなり、食器かご１０の下方から洗浄タンク４内の食器全体に温風が行き渡る。
【００２５】
実施例１と異なる効果は、食器かごと洗浄手段との間に適切な空隙が設けられない場合でも、食器かご１０下方から洗浄タンク４内の食器全体に温風を当てることができる点にある。これにより、食器が高温にならないので食器に損傷を与えず、温風が庫内全体にむらなく行き渡り、設置場所に関わらず食器を乾燥することができる。
【００２６】
（実施例３）
図４は本発明の実施例３の食器洗浄乾燥機を正面から見た断面図である。基本的な構成および動作は実施例１と同様なので主に異なる部分について説明する。図４に示すように、送風路１５の送風出口２０は洗浄タンク４の奥側の側面に複数設けられている。これによってファンヒータ１２で発生した温風は２２に示すような風の流れとなり、食器かご１０下方から洗浄タンク４内の食器全体に温風が行き渡る。
【００２７】
実施例１および２と異なる効果は、送風出口２０が洗浄タンク４の奥側の側面に複数あることによって、幅の広い洗浄タンク４の場合でも、効率よく食器かご１０下方から洗浄タンク４内の食器全体に温風を当てることができる点にある。
【００２８】
なお、奥行きの深い洗浄タンクに対しては、送風出口２０を洗浄タンクの左右いずれかの側面に複数設けても同様の効果が得られる。
【００２９】
（実施例４）
図５は本発明の実施例４の食器洗浄乾燥機のファンヒータ２２と送風路１５の断面を部分的に示した説明図である。基本的な構成および動作は実施例１と同様なので主に異なる部分について説明する。図５に示すように、送風路１５にはシャッター部材２３が設けられており、これはファンヒータ１２で発生する温風の風圧によりヒンジ２４を中心として回動し風が通過するもので、ファンヒータ１２が停止しているときには図５のように閉じた状態になっている。２５はファン１４を駆動するモータである。
【００３０】
ファンヒータ１２が停止しシャッター部材２３が閉じた状態にあるとき、食器の洗浄を行うと洗浄タンク４内で加熱された水による蒸気が送風路１５内に侵入するが、シャッター部材２３により蒸気はファンヒータ１２側へは行かない。このときシャッター部材２３に至るまでの送風路１５内部には蒸気による結露が生じるが、結露した蒸気はやがて水滴となり、貯水部２６に貯水される。
【００３１】
シャッター部材２３と貯水部２６が無ければ、結露した水滴の全てはシャッター部材２３と送風路１５との当接部からファンヒータ１２側へ侵入することになり、ファンヒータ１２に腐食が生じ寿命が短くなってしまう。また、図５に示すようにシャッター部材２３を貯水部２６側へ傾斜させることで結露水を効率よく貯水部２６へ導くことができる。
【００３２】
一方、シャッター部材２３が構造上設けられない場合、送風路１５内に侵入した蒸気はファンヒータ１２で結露してしまうが、この結露を防止する方法として、食器の洗浄中にもファンヒータ１２のヒータ部である温風ヒータ１３に通電可能にしてやれば、ファンヒータ１２の温度が上がり侵入した蒸気は結露しない。また、ファンヒータ１２のファン１４に通電し送風してやれば蒸気は送風路１５から洗浄タンク４内へ送り返されファンヒータ１２で結露しない。
【００３３】
このように本実施例によれば、ファンヒータ１２に結露水が付着することはなく腐食しない。従ってファンヒータ１２の寿命を長く維持することができるものである。
【００３４】
【発明の効果】
以上のように、本発明の請求項１〜３に記載の発明によれば、乾燥工程での食器の損傷を防ぐと共に、乾燥むらをなくすことができる。
【００３５】
また、請求項４〜６に記載の発明によれば、ファンヒータの結露が防止でき、ファンヒータの寿命を長く維持することができる。
【図面の簡単な説明】
【図１】本発明の実施例１における食器洗浄乾燥機の横断面図
【図２】同食器洗浄乾燥機の正面断面図
【図３】本発明の実施例２における食器洗浄乾燥機の正面断面図
【図４】本発明の実施例３における食器洗浄乾燥機の正面断面図
【図５】本発明の実施例４における食器洗浄乾燥機の要部断面図
【図６】従来の食器洗浄乾燥機の横断面図
【図７】同食器洗浄乾燥機の正面断面図
【符号の説明】
２　筐体
４　洗浄タンク
９　洗浄手段
１０　食器かご
１２　ファンヒータ
１３　温風ヒータ
１４　ファン
１５　送風路
２０　送風出口
２３　シャッター部材
２６　貯水部
【図１】
2004065424.tif 000003
【図２】
2004065424.tif 000004
【図３】
2004065424.tif 000005
【図４】
2004065424.tif 000006
【図５】
2004065424.tif 000007
【図６】
2004065424.tif 000008
【図７】
2004065424.tif 000009